(57)【要約】【課題】映像・音声データを変更接続可能なマトリクススイッチャーによる各種機器の制御は煩雑であり、特にスライド形式のファイルの場合は、ページ毎に音声データの切り替えをすることは難しく、さらにページ送りがされず停止状態となる信号の無変化状態を検出することができないため、放送事故の対応が迅速にできない問題があった。【解決手段】マトリクススイッチャーにＤＴＭＦ検知ブロックを設けることで、入力ファイルに添付されたＤＴＭＦ信号を検知し、各機器の制御を行う。スライド形式のファイルもページ毎に音声データ切り替えなどの詳細な制御が可能となる。また、音声・映像信号検知ブロックを設けることで、信号の無変化状態を検出することもできるので、安価で容易に放送事故を救済できる。【選択図】　　図１
2004015676.tif 000002
【特許請求の範囲】
【請求項１】
複数の入力信号系統と、複数の出力信号系統と、前記入力信号系統の音声・映像信号を所望の前記出力信号系統へ接続する切り替え部と、機器制御部と、前記入力信号系統に接続する制御用装置と、前記入力信号系統および出力信号系統に接続する外部機器とを有する切り替え装置において、
内部にＤＴＭＦ信号検知部を具備し、検知したＤＴＭＦ信号を機器制御信号に変換して前記入力信号系統、出力信号系統の切り替え及び／または外部機器の制御を行うことを特徴とする切り替え装置。
【請求項２】
前記入力信号系統を介して前記ＤＴＭＦ信号を受信し機器制御信号に変換することを特徴とする請求項１に記載の切り替え装置。
【請求項３】
前記入力信号系統の前記映像・音声信号に前記ＤＴＭＦ信号を付加することを特徴とする請求項２に記載の切り替え装置。
【請求項４】
通信手段を介して当該切り替え装置の外部から前記ＤＴＭＦ信号を受信し機器制御信号に変換することを特徴とする請求項１に記載の切り替え装置。
【請求項５】
複数の入力信号系統と、複数の出力信号系統と、前記入力信号系統の音声・映像信号を所望の前記出力信号系統へ接続する切り替え部と、機器制御部と、前記入力信号系統に接続する制御用装置と、前記入力信号系統および出力信号系統に接続する外部機器とを有する切り替え装置において、
内部に映像・音声状態検知部を具備し、音声・映像信号の無信号または無変化状態を検知して異常時にアラーム出力することを特徴とする切り替え装置。
【請求項６】
前記アラーム出力と共に、前記映像・音声状態検知部から送信される前記機器制御信号により前記入力信号系統、出力信号系統の切り替え及び／または外部機器の制御を行うことを特徴とする請求項５に記載の切り替え装置。
【請求項７】
前記音声・映像信号の無信号または無変化状態は、前記音声・映像信号の出力レベルの振幅により設定することを特徴とする請求項５に記載の切り替え装置。
【請求項８】
複数の入力信号系統と、複数の出力信号系統と、前記入力信号系統の音声・映像信号を所望の前記出力信号系統へ接続する切り替え部と、機器制御部と、前記入力信号系統に接続する制御用装置と、前記入力信号系統および出力信号系統に接続する外部機器とを有する切り替え装置において、
内部にＤＴＭＦ信号検知部および映像・音声状態検知部を具備し、検知したＤＴＭＦ信号を機器制御信号に変換して前記入力信号系統、出力信号系統の切り替え及び／または外部機器の制御を行うと共に、前記音声・映像信号の無信号または無変化状態を検知して異常時にアラーム出力することを特徴とする切り替え装置。
【請求項９】
前記入力信号系統を介して前記ＤＴＭＦ信号を受信し機器制御信号に変換することを特徴とする請求項８に記載の切り替え装置。
【請求項１０】
前記入力信号系統の前記音声・映像信号に前記ＤＴＭＦ信号を付加することを特徴とする請求項９に記載の切り替え装置。
【請求項１１】
通信手段を介して当該切り替え装置の外部から前記ＤＴＭＦ信号を受信し機器制御信号に変換することを特徴とする請求項８に記載の切り替え装置。
【請求項１２】
前記アラーム出力と共に、前記映像・音声状態検知部から送信される前記機器制御信号により前記入力信号系統、出力信号系統の切り替え及び／または外部機器の制御を行うことを特徴とする請求項８に記載の切り替え装置。
【請求項１３】
前記音声・映像信号の無信号または無変化状態は、前記音声・映像信号の出力レベルの振幅により設定することを特徴とする請求項８に記載の切り替え装置。
【発明の詳細な説明】
【０００１】
【発明の属する技術分野】
本発明は切替え装置に関し、特に容易に、入出力系統および外部機器の詳細な制御を行う切替え装置に関する。
【０００２】
【従来の技術】
告知放送システムでは、制御装置として放送用コンテンツ（映像・音声データ）、当該コンテンツの放送スケジュール、および当該コンテンツの自動送出用の制御データを格納した自動送出装置を用い、切替え装置によって放送を自動送出するものが知られている。
【０００３】
図６には、その切り替え装置を利用する告知放送システムの一例となるブロック図を示す。自動送出装置２０２は例えばパソコンなどであり、キーボード２０１などから告知放送のスケジュールデータ２０７および自動送出のための機器制御データ２０６がデータベース２０４に登録され、スケジューリングを行うものである。
【０００４】
スケジュール登録された指定の日時には、外部のＶＴＲなどの放送用コンテンツから映像・音声信号２１１が入力信号系統２１２に送出される。また、自動送出装置２０２から機器制御データ２０６の機器設定制御信号２２１が切り替え装置２００の制御ブロック２２０に送出され、切り替え装置２００で変更接続された映像および音声信号が出力信号系統２１３に自動送出される。
【０００５】
図７には、このシステムに用いられる切り替え装置２００のブロック図を示す。告知放送用の映像・音声信号２１１が記録されているビデオテープレコーダ、ＣＤプレーヤ、ディジタルディスクレコーダ、パーソナルコンピュータ、ディジタルオーディオファイル等の外部機器は、それぞれ切替え装置と接続し、各外部機器の映像・音声信号は例えば６つの入力信号系統２１２ａ〜２１２ｆからスイッチブロック２１０に入力される。また、図示は省略するが切替え装置にはモニタ等の外部機器も接続される。
【０００６】
入力信号系統２１２ａ〜２１２ｆの映像・音声信号は、スイッチブロック２１０で選択され、出力信号系統２１３に変更接続可能となっている。制御ブロック２２０では、あらかじめ登録された機器設定制御信号２２１に従って、入力信号系統２１２、出力信号系統２１３とスイッチブロック２１０を制御して番組放送を行う。
【０００７】
また、例えばテープ絡み等による記録媒体の不良や機器の故障により、放送事故となった場合のために映像検出ブロック２４０を設け、同期信号の有無により画面に映像等が表示されない無信号状態または無映像状態を検出し、アラーム出力２５０により人的に放送事故に対処する手段が設けられる。
【０００８】
【発明が解決しようとする課題】
上記した切り替え装置は、機器を制御して映像や音声の切り替えを行うものであるが、映像の切り替わりに合わせて音楽を切り替える場合、例えば映像制作とは別に音楽などをタイムスケジュールに添って編集する等、詳細な切り替え作業は、複雑な手順を伴った。
【０００９】
また、コンテンツの作成に、市販のスライド機能付きのコンピュータ用プレゼンテーションソフトを用いる場合がある。この場合、作成されたスライド形式のファイルにおいては、複数枚のスライドが有ったとしても、コンピュータではそれを一つのファイルとしてしか認識できないことが多い。つまり、スライドの進行に従って音楽を変更したい時は、個別のスライド形式のファイルに異なる音楽ファイルを添付する方法しかなく、ファイルを作成する場合、非常に煩雑な作業を伴う事となった。
【００１０】
更に、ＶＴＲ等の場合には、テープを作成する際に音楽などをミキシングすることで切り替えが可能であるが、その後再度音楽を編集する際は同じ作業を繰り返して行わなければならず、作業時間を大幅に増やす要因となっていた。
【００１１】
また、特に、スライド機能を長時間自動実行する際、実行途中で指定した通りにスライドが切り替わらずに一つのページが表示され続け停止状態となる場合もある。従来の切り替え装置において、無映像状態または無信号状態については、映像検知ブロックで検知できるが、映像信号はあり映像が表示されたまま停止している映像無変化状態は、検知することができなかった。
【００１２】
このように、従来では、映像・音声データのファイルに対する詳細な機器の制御を行うには、煩雑でコストも高価になる問題があり、また映像無変化状態を検知できない問題があった。
【００１３】
【課題を解決するための手段】
本発明は上記の問題に鑑みてなされ、第１に、複数の入力信号系統と、複数の出力信号系統と、前記入力信号系統の音声・映像信号を所望の前記出力信号系統へ接続する切り替え部と、機器制御部と、前記入力信号系統に接続する制御用装置と、前記入力信号系統および出力信号系統に接続する外部機器とを有する切り替え装置において、内部にＤＴＭＦ信号検知部を具備し、検知したＤＴＭＦ信号を機器制御信号に変換して前記入力信号系統、出力信号系統の切り替え及び／または外部機器の制御を行うことにより解決するものである。
【００１４】
また、前記入力信号系統を介して前記ＤＴＭＦ信号を受信し機器制御信号に変換することを特徴とするものである。
【００１５】
また、前記入力信号系統の前記映像・音声信号に前記ＤＴＭＦ信号を付加することを特徴とするものである。
【００１６】
また、通信手段を介して当該切り替え装置の外部から前記ＤＴＭＦ信号を受信し機器制御信号に変換することを特徴とするものである。
【００１７】
第２に、複数の入力信号系統と、複数の出力信号系統と、前記入力信号系統の音声・映像信号を所望の前記出力信号系統へ接続する切り替え部と、機器制御部と、前記入力信号系統に接続する制御用装置と、前記入力信号系統および出力信号系統に接続する外部機器とを有する切り替え装置において、内部に映像・音声状態検知部を具備し、音声・映像信号の無信号または無変化状態を検知して異常時にアラーム出力することにより解決するものである。
【００１８】
また、前記アラーム出力と共に、前記映像・音声状態検知部から送信される前記機器制御信号により前記入力信号系統、出力信号系統の切り替え及び／または外部機器の制御を行うことを特徴とするものである。
【００１９】
また、前記音声・映像信号の無信号または無変化状態は、前記音声・映像信号の出力レベルの振幅により設定することを特徴とするものである。
【００２０】
第３に、複数の入力信号系統と、複数の出力信号系統と、前記入力信号系統の音声・映像信号を所望の前記出力信号系統へ接続する切り替え部と、機器制御部と、前記入力信号系統に接続する制御用装置と、前記入力信号系統および出力信号系統に接続する外部機器とを有する切り替え装置において、内部にＤＴＭＦ信号検知部および映像・音声状態検知部を具備し、検知したＤＴＭＦ信号を機器制御信号に変換して前記入力信号系統、出力信号系統の切り替え及び／または外部機器の制御を行うと共に、前記音声・映像信号の無信号または無変化状態を検知して異常時にアラーム出力することにより解決するものである。
【００２１】
また、前記入力信号系統を介して前記ＤＴＭＦ信号を受信し機器制御信号に変換することを特徴とするものである。
【００２２】
また、前記入力信号系統の前記音声・映像信号に前記ＤＴＭＦ信号を付加することを特徴とするものである。
【００２３】
また、通信手段を介して当該切り替え装置の外部から前記ＤＴＭＦ信号を受信し機器制御信号に変換することを特徴とするものである。
【００２４】
また、前記アラーム出力と共に、前記映像・音声状態検知部から送信される前記機器制御信号により前記入力信号系統、出力信号系統の切り替え及び／または外部機器の制御を行うことを特徴とするものである。
【００２５】
更に、前記音声・映像信号の無信号または無変化状態は、前記音声・映像信号の出力レベルの振幅により設定することを特徴とするものである。
【００２６】
【発明の実施の形態】
本発明の実施の形態を図１から図５を用いて詳細に説明する。
【００２７】
図１は、本発明の切り替え装置を使用する自動放送送出システムの一例となるブロック図を示す。
【００２８】
本発明の切り替え装置１００（以下マトリックススイッチャと称する）は制御用装置である自動送出装置１０８から送出される機器設定制御信号２１または映像・音声信号１１を基に、マトリクススイッチャ１００に接続する外部機器の制御や入力信号系統１２および出力信号系統１３の切り替えを行うものである。
【００２９】
自動送出装置１０８は例えばパソコンなどであり、通信ケーブルによりマトリクススイッチャ１００に接続する。映像データや音声データのファイルである放送用コンテンツ１０５、告知放送のスケジュールデータ１０７および自動送出のための機器制御データ１０６が、制御・登録用端末１０１より、ネットワーク１０２経由で例えばインターネットのＷｅｂブラウザ１０３を利用してデータベース１０４に登録されている。
【００３０】
スケジュール登録された指定の日時には、自動送出装置１０８から指定のコンテンツ１０５の映像・音声信号１１および機器制御データ１０６の機器設定制御信号２１がマトリクススイッチャー１００の入力信号系統１２に送出される。マトリクススイッチャ１００には、更に通信ケーブルによりＶＴＲ等の外部機器６０が接続される。
【００３１】
入力信号系統１２に送出される自動送出装置１０８または外部機器６０の映像・音声信号１１にはＤＴＭＦ信号３１が添付される。このＤＴＭＦ信号３１を利用して、コンテンツ毎に、より詳細な機器制御を行うことができる。
【００３２】
図２は、図１に示した本発明のマトリクススイッチャ１００の詳細を説明するブロック図である。
【００３３】
本発明のマトリクススイッチャ１００は、複数の入力信号系統１２と、複数の出力信号系統１３と、前記入力信号系統の音声・映像信号を前記出力信号系統へ変更接続する切り替え部１０と、機器制御部２０と、ＤＴＭＦ信号検知部３０と映像・音声状態検知部４０と、前記入力信号系統１２に接続する制御用装置１０８と、前記入力信号系統１２、出力信号系統１３に接続する外部機器６０とから構成される。
【００３４】
制御用装置１０８は例えば自動送出装置であり、シリアルインターフェイス等の通信ケーブルによりマトリクススイッチャ１００に接続する。また、放送時に同時に使用する告知放送用のテープレコーダ、ＣＤプレーヤ、ディジタルディスクレコーダ、ディジタルオーディオファイル等の外部機器６０もシリアルインターフェイス等の通信ケーブルによりマトリクススイッチャ１００に接続される。
【００３５】
自動送出装置１０８に登録された放送用コンテンツ１０５の映像・音声信号１１や、外部機器６０の映像・音声信号１１は、例えば６つの入力信号系統１２に送出され、切り替え手段であるマトリクススイッチブロック１０に入力される。入力される映像・音声信号１１には、ＤＴＭＦ信号（Ｄｕａｌ　ＴｏｎｅＭｕｌｔｉｐｌｅ　Ｆｒｅｑｕｅｎｃｙ信号；２種類のトーン信号を複合させて数字を表す信号で、プッシュホン式公衆電話回線等に使用されている）が添付されている。
【００３６】
図１で示す自動送出装置１０８に登録されたスケジュールデータ１０７、機器制御データ１０６、放送用コンテンツ１０５の映像・音声データを基に、入力信号系統１２に送出された映像・音声信号１１は、マトリクススイッチブロック１０で選択され、出力信号系統１３に変更接続可能となっている。ＤＴＭＦ検知ブロック３０では入力信号系統１２の映像・音声信号に添付されたＤＴＭＦ信号を検知し予定のＤＴＭＦ信号であれば制御信号に変換する。制御ブロック２０では、あらかじめ登録された機器設定制御信号２１またはＤＴＭＦ信号から変換された制御信号に従って、入力信号系統１２に接続される機器の映像・音声信号とマトリクススイッチブロック１０を制御して番組放送を行う。
【００３７】
また、入力信号系統１２および出力信号系統１３の映像・音声信号１１は、映像・音声検知手段である映像・音声検知ブロック４０で検出され、異常がある場合はアラーム出力５０される。
【００３８】
本発明の特徴は、第１に、マトリクススイッチブロック１０の制御を入力信号系統１２の映像・音声信号１１に付加されたＤＴＭＦ信号３１により行うことにある。
【００３９】
自動送出装置１０８、外部機器６０から複数の入力信号系統１２に送出される映像・音声信号１１には予め、ＤＴＭＦ検出ブロック３０に登録され、所定の機器制御と対応するＤＴＭＦ信号３１を付加しておく。マトリクススイッチャ１００は、このＤＴＭＦ信号３１をＤＴＭＦ検知ブロック３０により検出し、制御ブロック２０を介して、例えば表示画面毎に再生する音声データを切り替えるなど、詳細な機器制御を行う。
【００４０】
また、予め登録されたＤＴＭＦ信号３１を、外部からネットワーク経由で自動送出装置１０８に送信し、前述の放送用コンテンツ１０５の映像・音声信号１１と同様にＤＴＭＦ信号３１単体を入力信号系統１２に送出しても良い。更に、ＤＴＭＦ信号を固定あるいは携帯の電話回線経由でマトリクススイッチャ１００に送信し、ＤＴＭＦ検知ブロック３０、制御ブロック２０を介して、機器制御を行うこともできる。
【００４１】
第２には、映像・音声検知ブロック４０を有することも特徴である。これにより、映像が出力されない無信号状態はもちろんのこと、表示はされるが映像の変化がない、または音声が出力されない無変化状態を検出し、アラームを出力する。また、アラーム出力と共に、予め登録された機器制御信号を送信し、制御ブロックを介して、例えば放送事故時に表示される映像に切り替えるなど、自動的に所定のエラー処理を行う。
【００４２】
アラーム出力は、ブザーやランプの点灯または点滅など視覚的・聴覚的に認識する方法のほか、固定電話または携帯電話への通知や、電子メールでの通知なども可能とする。
【００４３】
更に、予め設定する機器制御のメニューは、ネットワークを介し、コンピュータから行える。
【００４４】
図３には、本発明のマトリクススイッチャーによる具体的な制御の一例を示す。
【００４５】
まず、事前に、告知放送用コンテンツ１０５を作成する。本実施形態では、告知放送用コンテンツの１つとして市販のスライド機能付きコンピュータアプリケーションで作成したファイル１１ａを例に説明する。このファイルについては、スライド形式のファイルに限ることはなく、告知放送の受信用端末となるパソコン等で映像が表示でき、ＤＴＭＦ信号３１が添付できるアプリケーションソフトで作成したものであればどのようなものでも良い。本実施形態では、告知放送の視覚的効果を高めるため、スライド形式のファイルを採用した。
【００４６】
また、このスライド形式のファイルと同時に入力信号系統１２に入力され、予め登録した制御を実行するための他の映像・音声データのファイル１１ｂ〜１１ｆを準備する。これらは、例えばスライド形式のファイル１１ａのページ毎に対応した音声データ、または所定のページが表示された後に表示する映像・音声データなどであり、ＶＴＲ、ＤＶＤ、ＣＤなどの外部機器６０の媒体に格納されマトリクススイッチャ１００の入力信号系統１２に接続される。また、出力信号系統１３には、映像・音声信号１１を再生するモニタ等の外部機器３０が接続される。
【００４７】
ここで、上記のスライド形式のファイル、ＶＴＲ、ＣＤ、ＤＶＤ、ＭＤ等を編集する際に、マトリクススイッチャーに登録されるＤＴＭＦ信号３１を添付（挿入または埋め込み）する。
【００４８】
一方、マトリクススイッチャ１００には添付されたＤＴＭＦ信号３１と機器制御との対応関係を登録する。以下に、ＤＴＭＦ信号３１と対応する機器制御の一例を示す。
【００４９】
例えば、
ＤＴＭＦ信号０２１０３１＃：入力信号系統１２ｂの映像・音声を出力信号系統１３ｃに表示する、
ＤＴＭＦ信号０５４０１４＃：出力信号系統１３ａで再生中の音声を入力信号系統１２ｅの音声に切り替える、
ＤＴＭＦ信号０１４０１４＃：出力信号系統１３ａの音声を入力信号系統１２ａの音声に切り替える、
ＤＴＭＦ信号０＊０１０３３＃：サーバーを経由して外部機器の３号機の電源を切断、
などである。
【００５０】
例えば、入力信号系統１２ａに接続されたコンピュータによりスライド形式のファイル１１ａが再生され、ページ１からページ２へ切り替える際にＤＴＭＦ信号０２１０３１＃が検出されると、登録された対応関係に従い、ＶＴＲ２の映像・音声が出力機器３に表示される（Ｂ）。
【００５１】
次に、スライドが進行し、ＤＴＭＦ信号０５４０１４＃が検出されると、出力機器１に出力中の音声を入力信号系統１２ｅ（ＣＤ１）の音声に切り替える（Ｃ）。
【００５２】
更に、０１４０１４＃が検出されると、機器１に出力される音声をコンピュータからの音声に切り替える（Ａ）。
【００５３】
このように、ＤＴＭＦ信号３１により各入出力信号系統の機器を制御することで、１つの映像・音声データファイルにおいて、表示画面毎に異なる音声データを再生できるなど、詳細な操作を行うことができる。スライド機能を有する市販のコンピュータ用プレゼンテーション用ソフトは、安価で視覚的効果も高い告知放送用のコンテンツが容易に作成できる。しかし、その場合、１つのファイルに対しては音声データを添付できるが、ページの切り替えを認識し、それにより音声データを切り替える等、詳細な制御をするには煩雑で作業工数も多くかかってしまう問題があった。
【００５４】
しかし、本発明によれば、スライド形式のファイルに限らず市販のアプリケーションソフトを用いて作成したファイルの実行時でも、ファイル（ページ）の任意の場所で、ＣＤの音源を切り替えて異なる音楽を送出させる等、より詳細で視覚および聴覚効果の高い操作を行う事が出来る。尚、スライド形式に限らず、文書作成ソフト、表計算ソフトなど、ＤＴＭＦ信号（音声データ）が添付できるソフトで有ればどのうようなファイルでも実施できる。
【００５５】
また、ＶＴＲ等の場合には、テープを作成する際に音楽などをミキシングすることで切り替えが可能であるが、その後再度音楽を編集する際は同じ作業を繰り返して行わなければならず、作業時間を大幅に増やす要因となっていた。しかし本発明によれば、ＤＴＭＦ信号を入れ替えたり、添付される音楽データを入れ替えるだけで容易に切り替えが可能となる。
【００５６】
図４は、本発明のマトリクススイッチャーにおけるＤＴＭＦ検知の処理フローを示す。
【００５７】
入力信号系統からＤＴＭＦ信号を添付した映像・音声データを入力（ステップ３０１）。
【００５８】
ＤＴＭＦ検知ブロック３０において、ＤＴＭＦ信号を検知する（ステップ３０２）。例えば映像ファイルを再生中にＤＴＭＦ信号０２１０３１＃を検知する。マトリクススイッチャに事前に登録されている信号か否かチェック（ステップ３０３）し、該当がなければ、エラーメッセージを出力（ステップ３０４）。登録されているＤＴＭＦ信号と一致したら、ＤＴＭＦデコーダに送り、０２１０３１＃を登録されている機器制御のための制御信号に変換する（ステップ３０５）。
【００５９】
制御部２０では、変換された制御信号によりマトリクススイッチブロック１０に対し予め設定された操作を行う（ステップ３０６）。
【００６０】
このように、２つ以上の映像・音声ソースを同時に実行する際、１つの音声データ上にＤＴＭＦ信号を添付する事で、他の映像・音声機器を、ＤＴＭＦ信号が添付された映像・音楽データに合わせて送出する様に制御することができる。すなわち、ＤＴＭＦ信号をキーとして機器制御の実行プログラムとして利用できる。また、競合しない場合は、ＤＴＭＦ信号を複数入力して制御することも可能である。
【００６１】
更に、入出力信号系統に接続する外部機器６０とは異なる他の外部機器を別途シリアルインターフェイス、ネットワークケーブル等でマトリクススイッチャ１００と接続し、制御することもできる。すなわち、ＤＴＭＦ検出ブロックで検知したＤＴＭＦ信号を、制御ブロックを介して外部機器を制御する為のコンピュータ信号に変換し、データベースを通して、他の外部機器に送信して制御する（ステップ３０７）。例えば、入力されるＶＴＲの中に、他の外部機器であるプラズマディスプレイを制御するＤＴＭＦ信号を添付する。これにより、ＶＴＲ再生中に、自動的に離れた場所にあるプラズマディスプレイの電源のＯＮ、ＯＦＦまたは映像入力の切り替えを行う事が出来る。また、他の外部機器はケーブルによる接続のみならず無線ＬＡＮなどでも良い。
【００６２】
ここで、前述の如くＤＴＭＦ信号は、入力信号系統の映像・音声データに添付するだけでなく、ＤＴＭＦ信号自体をネットワーク経由や、電話回線経由でもマトリクススイッチャに送信することができ、スイッチャーの設置場所でない遠隔地からでも、機器の制御が可能となる。
【００６３】
次に、図５を用いて、映像・音声検出ブロックについて説明する。
【００６４】
このブロックでは、無信号やテープ絡み等により、映像・音声が表示されない無映像状態だけでなく例えば映像が表示されたまま停止状態にある信号の無変化状態も検知できる。
【００６５】
無信号状態とは、同期信号が全く無い場合をいう。また、同期信号は有るが映像信号の無い場合を無映像状態とする。無映像状態とは例えば画面全体が黒または青等同期信号は有るが映像が表示されない場合である。
【００６６】
まず、予め、信号を検出するための各設定を行う（ステップ４０１）。レベル設定は、本実施形態では、音声および映像信号の出力レベルの振幅を監視し、予め定めたレベルに達しない場合と予め定めたレベルの枠内に留まっている場合を検出する。つまり、レベルに達しない場合を無映像状態とし、一定の枠内に振幅が留まっている場合を無変化状態とし、レベルの設定は、無映像と判断する振幅、無変化と判断する振幅の幅とする。このレベルの設定は、任意に変更できる。
【００６７】
次に、無信号、無変化となった状態を判定するため、無信号、無変化のレベルに達している時間の設定も行う。
【００６８】
更に、事故発生時の対策として、アラームの出力や機器制御の登録を行う。
【００６９】
その後、無変化検出モードを設定（ステップ４０２）する。ここでは、検出の設定を行うか否かをＯＮ／ＯＦＦで設定するものであり、例えば音声検知だけＯＦＦにする場合などが有るために、設けられる。
【００７０】
無変化検出モードである場合（ステップ４０３）は、映像・音声信号を検知（ステップ４０４）する。信号が検出できない場合、無信号状態の可能性があるので、設定時間と無信号状態となっている時間を比較する（ステップ４０５）。設定時間を超えていなければステップ４０３に戻り、設定時間を超えた場合は、事故発生となりアラーム出力（ステップ４０７）する。ステップ４０４において信号が検出できれば、無信号状態ではないので、ステップ４０６で無変化状態か否かを検出する。設定されている信号レベルに、設定時間以上振幅がとどまっている場合、無変化状態となり、アラーム出力（ステップ４０７）して異常を通報する。無変化状態でない場合ステップ４０３に戻る。
【００７１】
アラームの出力方法としては、ブザーまたはランプの点灯・点滅等で視覚的および聴覚的に認識させる方法がある。また、固定電話、携帯電話に音声メッセージ通知したり、パソコンや、携帯電話のメール機能を利用して、固定メッセージを発信することも可能である。
【００７２】
事故発生時の処理としてアラーム出力だけでもよいし、アラーム出力と同時に予め救済処理対応用（バックアップ）として設定した機器にスイッチングすることができる。スイッチャーに制御信号を送信し（ステップ４０８）、制御ブロックを通じて例えば、他の入出力信号系統の機器と切り替えて、予備の画像を表示させることなどが可能である（ステップ４０９）。
【００７３】
例えば、外部機器６０のうちの１つであるＶＴＲをバックアップ用とする。この場合、特定のアラーム信号が入った際予め指定しておいたＶＴＲにスイッチングし、且つＶＴＲ自体の再生、停止等、ＶＴＲの制御を行う事が出来る。
【００７４】
また、バックアップ用と定めた入出力信号系統の機器に異常が認められた時には、セカンド、サード機器へと順次機器切り替えの信号を送ることもできる。
【００７５】
さらに、例えば、アラームを離れた場所で受け取った場合には、ＤＴＭＦを使用しているので、公衆電話などからＤＴＭＦ信号を送信して各機器を制御することもできる。
【００７６】
その後、アラーム出力または機器制御信号を送出後、処理を終了し再起動に備える（ステップ４１０）。
【００７７】
【発明の効果】
本発明によれば、以下に示す効果がある。
【００７８】
第１に、マトリクススイッチャの入力信号系統の音声・映像データに添付されたＤＴＭＦ信号により、特定の機器のスイッチングなど予め定められた制御を行うことができる。具体的には、ＶＴＲ、ＣＤ、ＤＶＤや市販のコンピュータアプリケーションソフトで作成したファイルにＤＴＭＦ信号を添付する。マトリクススイッチャーに内臓のＤＴＭＦ検知ブロックで検知されたＤＴＭＦ信号をＤＴＭＦデコーダーで制御信号に変換し、制御信号としてマトリクススイッチャに送信することで、予め設定された操作が容易に行われる。
【００７９】
各種機器の自動制御は、煩雑な場合が多いが、本発明によれば、映像・音声・コンピュータによるスライド形式のファイル等の進行に合わせて、他のＡＶ機器を制御し、実行、スタンバイ、停止などが行えるものである。
【００８０】
第２に、特にスライド機能付きのアプリケーションソフトで作成したファイルの場合は、実行時に複数のスライドの中で任意の部分だけ音楽を自動的に変更する事が可能となる。スライド形式のファイルでは、数ページが１つのファイルとなっており、ファイル単位で音声データを添付することはできてもページ毎に音声を切り替えることが煩雑で作業工数がかかるものがある。このような場合でも、ページ単位でＤＴＭＦ信号を添付できるので、ページ毎に異なる音声データを再生できる。市販のアプリケーションソフトを利用して、詳細な制御が可能となるので、安価で容易に視覚的・聴覚的効果を高めることができる。
【００８１】
第３に、入力信号系統に入力される映像・音声データに添付するだけでなく、ネットワーク経由または電話回線経由で予め登録されたＤＴＭＦ信号を送信することができるので、スイッチャーの設置場所へ行かなくても遠隔地から機器制御ができる利点を有する。
【００８２】
第４に、音声・映像状態検知ブロックを設けることにより、音声・映像信号が出力されない無信号状態はもとより、出力はされているが一定時間停止している信号の無変化状態を検知することができる。例えばスライド形式のファイルではスライドの途中でページが切り替わらない無変化状態となる場合がある。このような場合でも信号の振幅により設定された検知レベルにより異常を検知し、アラーム出力をすることができる。これにより、従来では表示画面を見ていなければ気が付かなかった映像無変化状態を自動的に検知する事が出来るので、いち早く異常状態の発生を知ることができる。
【００８３】
第５に、アラーム出力と共に機器制御信号を送信することで、自動的に正常な機器に切り替え、他の映像・音声ソースを出力することで、放送事故を最小限に食い止める事が可能となる。
【００８４】
自動救済処理機能は、高価なシステムになることが多い。本発明によれば、それをＣＡＴＶ局、自主放送局などの予算的に苦慮している局などでも導入しやすい価格帯で今まで人的確認・作業頼っていた部分をよりシステマティクに実現することができる。
【図面の簡単な説明】
【図１】本発明を説明するためのブロック図である。
【図２】本発明を説明するためのブロック図である。
【図３】本発明を説明するための概念図である。
【図４】本発明を説明するためのブロック図である。
【図５】本発明を説明するためのブロック図である。
【図６】従来技術を説明するためのブロック図である。
【図７】従来技術を説明するためのブロック図である。
【図１】
2004015676.tif 000003
【図２】
2004015676.tif 000004
【図３】
2004015676.tif 000005
【図４】
2004015676.tif 000006
【図５】
2004015676.tif 000007
【図６】
2004015676.tif 000008
【図７】
2004015676.tif 000009